(57)【要約】【課題】歯科治療装置に使用されるガスバーナ装置の安全確認は主として目視によっており、安全点検の不徹底、不具合発生の見逃し、操作のうっかりミス等により、火災事故、中毒事故等が発生する場合があったため、歯科治療装置のガスバーナの多重化した安全方式を提供する。【解決手段】安全手段を、着火時操作の音声による告知と遅延後の作動、燃焼中告知の表示ランプと周期音の発生、連続燃焼時間と火口過熱温度の監視と自動消火機構、ガス洩れ立ち消え検知と消火機構、故障診断手段と表示、ガスボンベ残量監視、着火用電源の２系統分離等を組み合わせて多重化し、未然に事故要因に対処して事故を防止する。【選択図】図１
2004313474.tif 000002
【特許請求の範囲】
【請求項１】
歯科治療装置のトレーテーブルに配設されたガスバーナ装置が、燃焼中の火災あるいは立ち消え時のガス中毒等の事故防止のための多重化した安全手段を備えてなることを特徴とする歯科治療装置のガスバーナ安全方式。
【請求項２】
多重化した安全手段が、（ａ）着火スイッチの操作において、一時着火時操作時には短応答音を発生し、連続着火操作時には連続応答音を発生させ報知する回路を有し、前記応答音による報知が終了後、着火装置が作動し、また、（ｂ）安全機構が、燃焼中であることを告知する表示ランプ及び長周期の短音を発生する警報器を備えてなることを特徴とする請求項１に記載の歯科治療装置のガスバーナ安全方式。
【請求項３】
安全機構が、燃焼中の連続燃焼時間の監視、火口の過熱監視を行う検知器及び警報装置を有し、前記両監視装置には作動時間及び過熱温度の制限回路が設けられて事故防止を図ると共に、
前記制限回路の不具合により制限時間を超過した場合は、前記警報装置の告知と共に作動し、ガス供給停止による自動消火機構を備えてなることを特徴とする請求項１又は２に記載の歯科治療装置のガスバーナ安全方式。
【請求項４】
立ち消え時のガス検知器を備え、該ガス検知器の検知信号によりガスの供給を停止する自動ガス供給停止機構を備えてなることを特徴とする請求項１〜３のいずれか１項に記載の歯科治療装置のガスバーナ安全方式。
【請求項５】
着火装置の作動時に着火不能事故が発生した場合の故障診断手段を備えてなることを特徴とする請求項１〜４のいずれか１項に記載の歯科治療装置のガスバーナ安全方式。
【請求項６】
燃焼時間の積算によるガスボンベの残量の監視手段を有することを特徴とする請求項１〜５のいずれか１項に記載の歯科治療装置のガスバーナ安全方式。
【請求項７】
各種操作器並びに各種検知器に接続された、安全装置を制御し実行するための制御部を備え、
該制御部の表示器に、各種の告知又は故障診断結果を表示し、
さらに、その対応手段を表示するものであることを特徴とする請求項１〜６のいずれか１項に記載の歯科治療装置のガスバーナ安全方式。
【請求項８】
ガス供給用並びにガス着火装置用の２系統の電源保持回路を有し、各独立して制御できるものであることを特徴とする請求項１〜７に記載の歯科治療装置のガスバーナ安全方式。
【発明の詳細な説明】
【０００１】
【発明の属する技術分野】本装置は、歯科治療装置において使用されるガスバーナ装置に係り、特に前記ガスバーナ装置の安全方式に関する。
【０００２】
【従来の技術】従来、歯科治療装置において使用されるガスバーナ装置の安全確認は主として目視によって行われており、安全点検の不徹底、不具合発生の見逃し及び操作のうっかりミス等により、まれに火災事故、中毒事故等が発生する場合があった。
【０００３】
【発明が解決しようとする課題】上記のように、事故は状況によっては、
大惨事になる恐れがあるため、事故防止に万全を期する多重化した歯科治療装置用のガスバーナの安全装置を提供する。
【０００４】
【課題を解決しようとするための手段】上記に鑑み、本発明者等は鋭意実験研究の結果下記の手段によりこの課題を解決した。
（１）歯科治療装置のトレーテーブルに配設されたガスバーナ装置が、燃焼中の火災あるいは立ち消え時のガス中毒等の事故防止のための多重化した安全手段を備えてなることを特徴とする歯科治療装置のガスバーナ安全方式。
（２）多重化した安全手段が、（ａ）着火スイッチの操作において、一時着火時操作時には短応答音を発生し、連続着火操作時には連続応答音を発生させ報知する回路を有し、前記応答音による報知が終了後、着火装置が作動し、
また、（ｂ）安全機構が、燃焼中であることを告知する表示ランプ及び長周期の短音を発生する警報器を備えてなることを特徴とする前記（１）に記載の歯科治療装置のガスバーナ安全方式。
（３）安全機構が、燃焼中の連続燃焼時間の監視、火口の過熱監視を行う検知器及び警報装置を有し、前記両監視装置には作動時間及び過熱温度の制限回路が設けられて事故防止を図ると共に、前記制限回路の不具合により制限時間を超過した場合は、前記警報装置の告知と共に作動し、ガス供給停止による自動消火機構を備えてなることを特徴とする前記（１）又は（２）に記載の歯科治療装置のガスバーナ安全方式。
（４）立ち消え時のガス検知器を備え、該ガス検知器の検知信号によりガスの供給を停止する自動ガス供給停止機構を備えてなることを特徴とする前記（１）〜（３）のいずれか１項に記載の歯科治療装置のガスバーナ安全方式。
（５）着火装置の作動時に着火不能事故が発生した場合の故障診断手段を備えてなることを特徴とする前記（１）〜（５）のいずれか１項に記載の歯科治療装置のガスバーナ安全方式。
（６）燃焼時間の積算によるガスボンベの残量の監視手段を有することを特徴とする前記（１）〜（５）のいずれか１項に記載の歯科治療装置のガスバーナ安全方式。
（７）各種操作器並びに各種検知器に接続された、安全装置を制御し実行するための制御部を備え、該制御部の表示器に、各種の告知又は故障診断結果を表示し、
さらに、その対応手段を表示するものであることを特徴とする前記（１）〜（６）のいずれか１項に記載の歯科治療装置のガスバーナ安全方式。
（８）ガス供給用並びにガス着火装置用の２系統の電源保持回路を有し、各独立して制御できるものであることを特徴とする前記（１）〜（７）のいずれか１項に記載の歯科治療装置のガスバーナ安全方式。
【０００５】
【発明の実施の形態】以下図に基づいて本発明の実施の形態を説明する。
図１は、本発明の多重化した安全手段を有するガスバーナ装置を備えた歯科治療装置の外観斜視図である。
図において、１は歯科治療装置、２はトレーテーブル、３はガスバーナ部、４は超音波洗浄器、５はハンドピース、６は操作盤、７は表示器、８はテーブル用アーム、９はチェア、１０はライト、１１はスピットン、１２は補助操作盤、１３は台座、１４はフットスイッチ、２１はトレーテーブル板、２３は電源・制御部収納部、２９はガスバーナ部収納部、を示す。
図示したように、ガスバーナ部３は通常のようにトレーテーブル２の右端部に配置されており、その下部にガスバーナ収納部２９を有し、またトレーテーブル２の中央下部に電源部（３６）及び制御部（２２）の電源・制御部収納部２３を備え、さらに中央後部に表示器７が立設されている。
上記において、制御部２２と表示器７は歯科治療装置１と共用である。
【０００６】
図２は多重化安全手段を有するガスバーナ装置の外観斜視図である。
図において、１５はガスバーナ導入カバー、１６はバーナカバー、１７はバーナ受け皿、１８は連続着火スイッチ、１９は燃焼表示ランプ、２０は一時着火スイッチ、２４は告知・警報音発生器、２５は告知・警報ランプを示す。
図２は前記図１のガスバーナ部３の拡大図であり、表面のガスバーナ導入カバー１５及びバーナカバー１６（内部詳細図３）の周辺には、バーナ受け皿１７や、一体化された連続着火スイッチ１８、燃焼表示ランプ１９及び一時着火スイッチ２０がある。
また、告知・警報音発生器２４、告知・警報ランプ２５が前方に配設されている。
なお、ガスバーナ部３後方のスペースには超音波洗浄器４が配置されている。
そして、トレーテーブル２の中央後部には前記表示器７が立設されている。
また、前記ガスバーナ部３の下部には、ガスバーナ部収納部２９を有しており、トレーテーブル２の中央下部には前記電源部（３６）及び第１電源保持回路（３７）、第２電源保持回路（３８）及び制御部（２２）の電源・制御部収納部２３を備えている。
【０００７】
図３はガスバーナカバー及び内部の前方正面図である。
図において、３１はスパーク棒、３２はセンサ棒、３３は接続部、３４はガス開閉用電磁弁、３５はガスボンベを示す。
図示したように、ガスバーナ導入カバー１６の上端部より前方に突設されたバーナカバー１６の内壁上方には、バーナノズル３０が前記バーナカバー１５の開口端より引っ込んだ位置に配設され、
前記バーナノズル３０中心にはスパーク棒３１が配設されている。
また、前記バーナカバー１６の内壁に沿ってセンサ棒３２が突設され、その先端は、バーナカバー１６の開口端の中心で、かつ前記バーナノズル３０の下方の位置に折り曲げられている。
なお、噴出したガスはスパーク棒３１とセンサ棒３２間に発生するスパークにより点火される（図４参照）
また、接続部３３は、ガスボンベ３５とバーナノズル３０間の、ガス開閉用電磁弁３４及びガス減圧弁、ガス流量バルブ、接続用高圧パイプ等（図示せず）を収納する。
【０００８】
なお、本器に使用される、ガスはブタン（Ｃ４Ｈ１０）であり、ガス着火装置は、イグナイタ方式（高周波発振と昇圧トランスによる高圧の発生と、スパーク放電）で、検知は、水素炎イオン化式（炭化水素等のガスを水素炎中でイオン化することによる電流値の変化）である。
【０００９】
図４は本発明のガスバーナ装置の多重化安全方式のブロック図である。
図において、２６は表示例、３６は電源部、３７は第１電源保持回路、３８は第２電源保持回路、３９はガス着火装置、４０は連続燃焼時間検知器、４１は消火機能、４２は電源プラグ、４３はメインスイッチ、４４は火口の過熱検出器、４５は立ち消え検知器、４６は着火検知装置を示す。
以下に作用を説明する。
メインスイッチ４３をＯＮにして、一時着火スイッチ２０を押すと、押している間だけバーナノズル３０に点火する（一時着火）。
また、連続着火スイッチ１８を押すと連続燃焼し、手前側（一時着火スイッチ２０）のスイッチを押すと消火する（連続着火）。
そして燃焼中はレバー中央の燃焼表示ランプ１９が点灯する。
上記の連続着火スイッチ１８、燃焼表示ランプ１９及び一時着火スイッチ２０は中央を支点としたシーソレバー型に一体化されており、スイッチを操作するとその連動接点（図示せず）は制御部２２内にて、シーケンスによりガス開閉用電磁弁３４を開閉して、点灯、消火を行うと共に、前記一時着火の場合は、制御部２２内の告知・警報音発生器２４から、単独の短音を発し、また、前記連続着火の場合は、連続した長音を発生する。
【００１０】
一般にガスの炎は目視が困難なことが多いので、着火スイッチ操作を前記告知・警報器２４からの応答音で知らせることにより、着火作業を聴覚によって確認することができる。
そして、制御部２２により前記応答音が終了後にガス開閉用電磁弁３４を開いて、着火動作が行われる。
上記遅延時間の確保によって、不用意な着火を防止することができる。
【００１１】
そして、ガスバーナが燃焼中は、前記燃焼表示ランプ１９が点灯すると共に、前記告知・警報音発生器２４から長周期の短音を連続して発し、燃焼中であることを告知し、視聴覚によって確実に認識させることができる。
【００１２】
さらに、燃焼時間の監視は、前記、ガスの着火及び燃焼検知は、水素炎イオン化式（炭化水素等のガスを水素炎中でイオン化することによる電流値の変化）によるため、燃焼中は水素炎を通して前記スパーク棒３１（＋電極）とセンサ棒３２（−電極）間に電流が流れている。
したがって、この通電時間によって連続燃焼時間検知４０することができ、
また、制御部２２を介して表示器７に表示することができる。
そして、ガスバーナの火口の過熱の監視は、火口の過熱検出器４４が前記ガスバーナ導入カバー１６内に、バーナノズル３０に近接して配設されている。
上記火口の過熱検出器４４は、例えば高温型熱電対を用いてもよい。
以上の燃焼時間又は過熱温度の検出には、燃焼時間の制限時間、過熱温度の上限の閾値を設け、それを超過した場合には制御部２２を介して前記告知・警報音発生器２４より警報を発し、また告知・警報ランプ２５を点灯させて告知する。
そして告知後直ちに処置がとられない場合は、さらに前記ガス開閉用電磁弁３４を閉じて自動的に消火する。
【００１３】
また、前記着火検知装置４６により、もし燃焼中、中途で燃焼が途絶えた場合には通電電流もなくなり、ガスのみが噴出されていることが判るので、この場合は、立ち消え検知器４５から立ち消え信号を発し、制御部２２を介して前記告知・警報音発生器２４より警報を発し、また告知・警報ランプ２５を点灯させて告知する。
そして告知後直ちに処置がとられない場合は、消火機能４１及び制御器２２を介して前記ガス開閉用電磁弁３４を閉じてガス洩れを防止する。
そして以上のような事故発生の場合は、前記表示器７に現象を表示して、事後の的確な対応を実施することができる。
【００１４】
ガス着火装置３９の作動時に着火不能事故が発生した場合、例えばスパークが発生したにもかかわらず着火しない場合、着火検知装置４６は前記水素炎を経路として流れる電流が検知できない。
これはガスの供給が行われていないための事故であるから、前記告知・警告ランプ２５を点灯させ、告知・警報音発生器２４より警報を発すると共に、前記表示器７に表示する（表示例２６）故障診断手段を備えており、その対策を容易に行うことができる。
【００１５】
また、前記連続燃焼時間検知器４０により、燃焼時間の積算から換算したガスボンベ３５内のガスの残量を前記表示器７に表示し監視する。
したがって、ガスがなくなる前にガスボンベ３５を交換することができる。
【００１６】
そして各種操作器並びに検知器に接続された安全装置を制御実行するための前記制御部２２は、その表示器７に各種の告知又は故障診断結果を表示し、さらにその対応手段を表示する。
例えば、前述並びに図４の表示例２６に示した「連続時間・・・時・分」、「火口過熱温度・・・度」、「ボンベの残量・・・ｇ」、「ボンベ交換」、「着火・消火故障診断」、「スパークしても着火できず」等を表示する。
なお、制御部２２はコンピュータを用い、歯科治療装置と共用してもよく、また表示器７も同様に共用してもよい。
上記にように、記号・文字表示の視覚情報の伝達によって、告知・診断結果を知らせることができるため、安全手段をより的確に活用することができる。
【００１７】
また、電源部３６を第１電源保持回路３７及び第２電源保持回路３８の２系統とし、各独立して制御部２２で制御できるようにして、着火時においては、前記第１電源保持３７回路はガス供給用として、ガス開閉用電磁弁３４を駆動し、第２電源保持回路３８はガス着火装置３９及び着火検知装置４６用とする。
上記によってガス着火装置３９が作動後、ガス開閉用電磁弁３４を開くタイミングを微細に調整することができる。
さらに前記、第１電源保持回路３７及び第２電源保持回路３８は、各独立しているため、不具合が発生した場合、系統ごとにチェックすることができ、前記第１電源保持回路３７を作動（ＯＦＦ）させることによりガスの供給を停止させ、常に安全を保持することができる。
なお、電源保持を２系統にすることにより、極性の異なる２つの閉回路を同時に使用することができ作製が容易である。
【００１８】
【発明の効果】本発明によれば次のような優れた効果が発揮される。
１、本発明の請求項１の発明によれば、
歯科治療装置のトレーテーブルに配設されたガスバーナが、燃焼中の火災あるいは立ち消え時のガス中毒等の事故防止のための多重化した安全手段を備えてなり、事故発生の複数の要因を組み合わせ、告知による注意の喚起、警報の発生、自動消火機能等により、事前に事故の発生を防止することができる。
２、請求項２の発明によれば、
多重化した安全手段が、着火スイッチの操作において、一時着火時操作時には短応答音を発生し、連続着火操作時には連続応答音を発生させ報知する回路を有し、前記応答音による報知が終了後、着火装置が作動するため、
着火作業を聴覚により確認できると共に、遅延時間の確保により、不用意な着火を防止することができる。
また、安全機構が、燃焼中であることを告知する表示ランプ及び、長周期の短音を発生する警報器を備えてなるため、視覚及び聴覚によって燃焼中であることを確実に認識することができる。
【００１９】
３、請求項３の発明によれば、
安全機構が、燃焼中の連続燃焼時間の監視、火口の過熱温度の監視を行う検出器及び警報装置を有し、前記両監視装置には、作動時間及び過熱温度の制限回路が設けられて事故防止を図ると共に、前記制限回路の不具合により制限を超過した場合は、前記警報装置の告知と同時に作動するガス供給停止による自動消火機構を備えてなるため、告知・警報とさらに自動消火により安全を確保することができる。
４、請求項４の発明によれば、
立ち消え時のガス検知器を備え、該ガス検知器の検知信号によりガスの供給を停止する自動ガス供給停止による自動消火機構を備えてなるため、告知・警報とさらに自動消火により安全を確保することができる。
５、請求項５の発明によれば、
着火装置の作動時に着火不能事故が発生した場合の故障診断手段を備えてなり、告知・警報並びに表示器に診断結果を表示することができ、その対策を容易に行うことができる。
【００２０】
６、請求項６の発明によれば、
燃焼時間の積算によるガスボンベの残量の監視手段を有し、表示器に表示されるため、ガスがなくなる前にガスボンベを交換することができる。
７、請求項７の発明によれば、
各種操作器並びに各種検知器に接続された、安全機構を制御し実行するための制御部を備え、該制御部の表示器に、各種の告知又は故障診断結果を表示し、さらに、その対応手段を表示するため、
記号・文字表示の視覚情報の伝達によって、告知・診断結果を知らせることができ、安全機構をより的確に活用することができる。
８、請求項８の発明によれば、
ガス供給用並びにガス着火装置用の２系統の電源保持回路を有し、
各独立して制御できるため、ガス着火装置作動後、ガス開閉用電磁弁を開くタイミングを微細に調整することができる。
また、第１電源保持回路（ガス供給用）及び第２電源保持回路（着火装置用）は、各独立しているため、不具合が発生した場合、系統ごとにチェックすることができ、前記第１電源保持回路を作動（ＯＦＦ）させることによりガスの供給を停止させ、常に安全を保持することができる。
【図面の簡単な説明】
【図１】本発明の多重化した安全手段を有するガスバーナ装置を備えた歯科治療装置の外観斜視図。
【図２】多重化安全手段を有するガスバーナ装置の外観斜視図。
【図３】ガスバーナカバー及び内部の前方正面図。
【図４】本発明のガスバーナ装置の多重化安全方式のブロック図。
【符号の説明】
１：歯科治療装置                    ２：トレーテーブル
３：ガスバーナ部                    ４：超音波洗浄器
５：ハンドピース                    ６：操作盤
７：表示器                          ８：テーブル用アーム
９：チェア                          １０：ライト
１１：スピットン                    １２：補助操作盤
１３：台座                          １４：フットスイッチ
１５：ガスバーナ導入カバー          １６：バーナカバー
１７：バーナ受け皿                  １８：連続着火スイッチ
１９：燃焼表示ランプ                ２０：一時着火スイッチ
２１：トレーテーブル板                          ２２：制御部
２３：電源・制御部収納部            ２４：告知・警報音発生器
２５：告知・警報ランプ                            ２６：表示例
２９：ガスバーナ部収納部            ３０：バーナノズル
３１：スパーク棒                    ３２：センサ棒
３３：接続部                        ３４：ガス開閉用電磁弁
３５：ガスボンベ                    ３６：電源部
３７：第１電源保持回路              ３８：第２電源保持回路
３９：ガス着火装置                  ４０：連続燃焼時間検知器
４１：消火機能                      ４２：電源プラグ
４３：メインスイッチ                ４４：火口の過熱検出器
４５：立ち消え検知器                                ４６：着火検知装置
【図１】
2004313474.tif 000003
【図２】
2004313474.tif 000004
【図３】
2004313474.tif 000005
【図４】
2004313474.tif 000006